(57)【要約】【課題】商品棚の厚さ、大きさ等に関係なく、寸法の大きな値札等のカードを、簡単に着脱可能な方法で、商品棚の前端部に取付けるようにすることを主たる課題とする。【解決手段】カードホルダ本体１は、値札Ｂを背後から支持する支持面１１と、該支持面１１の下端部から正面側に曲折して上方に延び、支持面との間でカードを挟む挟持面１２と、上記支持面１１の上端部から下方へ延びる垂直面１３をかいして背面側に曲折して後方へほぼ水平に延びる接合面１４を有する。これらの面１１〜１４は相互に曲折部で連続した形状を呈している。カードホルダ本体１自体は、該カードホルダ本体１の接合面１４が商品棚Ａの前端上面とを上下両面吸盤２によって接合され、商品棚Ａの前端上面に取り付けられている。また、この状態で、支持面１１及び垂直面１３の上部が商品棚Ａの上面より上方に延びているカードホルダを得る。【選択図】　　　　図１
2004085712.tif 000002
【特許請求の範囲】
【請求項１】
商品棚の前端部上面に取り付けられるカードホルダであって、カードを背後から支持する支持面と、該支持面の下端部から正面側に曲折して上方に延び、支持面との間でカードを挟む挟持面と、上記支持面の上端部から直接又は下方へ延びる垂直面をかいして背面側に曲折して後方へほぼ水平に延びる接合面とを有する透明樹脂製のホルダ本体と、上下両面が再剥離性接合機能を持ち、上記ホルダ本体の接合面を商品棚の上面に接合させる接合部材とからなることを特徴とするカードホルダ。
【請求項２】
接合部材は、上下両面が吸盤であることを特徴とする請求項１に記載のカードホルダ。
【請求項３】
接合部材は、再剥離性両面粘着シートであることを特徴とする請求項１に記載のカードホルダ。
【請求項４】
再剥離性両面粘着シートは透明であることを特徴とする請求項３に記載のカードホルダ。
【発明の詳細な説明】
【０００１】
【発明が属する技術分野】
本発明は商品棚の前端部上面に取り付けられるカードホルダに関する。ここで、カードには、例えば値札や商品札等、表示されている情報の種類や材質（紙製・樹脂製等）の如何に拘らず、文字や記号あるいは図柄等の各種情報が表示され、所定サイズ・所定形状に裁断された、薄く、平たい、枚葉状物一般、及びそれと同視すべきものを含む。
【０００２】
【従来の技術】
一般に、商店の商品棚には陳列商品の名称や価格あるいはバーコード等を表示した値札が配設される。最も普通には、例えば図４に示すように、値札ａは商品棚ｂの前端部に設けられたカード取付部、すなわち上下一対のレール部ｃ，ｄに係合される。あるいは図５に示すように、値札ａを濡れや汚れから保護するために透明の保護カバーｅを値札ａの上に重ねる場合もある。特開平７−３２７７９１号公報には、図示しないが、２つ折りにした透明樹脂板でなる値札ホルダが開示されている。値札は値札ホルダの後板と前板との間に挟み込まれ、その状態で値札ホルダの上下端部が商品棚前端部の上下係合部、すなわち上下レール部にそれぞれ係合される。
【０００３】
また、特開平１０−２８８１５０号公報には、図６に示すように、カード支持部ｆの下部端から前面の全体を覆う挟持面ｅとの間にカードａを差し込み支持でき、これと一体になる支持面ｇと棚板ｂに差し込む断面が略コ字状の平行な面ｈ、ｉからなる陳列棚板に抜き差しが可能なカード表示具ｊが開示されている。
【０００４】
【発明が解決しようとする課題】
ところが、いずれの場合も、商品棚前端部の上下レール部に値札あるいは値札ホルダの上下端部を係合する方式であるか、陳列棚板の板前端へ差し込む方式であるが、いずれも棚板の厚さ、大きさ等に規制を受け、商品の大きさ等に合わせた自由な位置変更が困難であった。
【０００５】
そこで、本発明は、商品棚の厚さ、大きさ等に関係なく、寸法の大きな値札等のカードを、簡単に着脱可能な方法で、商品棚の前端部に取り付けるようにすることを主たる課題とする。
【０００６】
【課題を解決するための手段】
上記課題の解決のため、本願の請求項１に記載の発明は、商品棚の前端部上面に取り付けられるカードホルダに関するものであっておいて、カードを背後から支持する支持面と、該支持面の下端部から正面側に曲折して上方に延び、支持面との間でカードを挟む挟持面と、上記支持面の上端部から直接又は下方へ延びる垂直面をかいして背面側に曲折して後方へほぼ水平に延びる接合面とを有する透明樹脂製のホルダ本体と、上下両面が再剥離性接合機能を持ち、上記ホルダ本体の接合面を商品棚の上面に接合させる接合部材とからなることを特徴とする。
【０００７】
また、請求項２に記載の発明は、上記請求項１に記載のカードホルダにおいて、接合部材は、上下両面を吸盤としたことを特徴とする。
【０００８】
さらに、請求項３に記載の発明は、同じく請求項１に記載のカードホルダにおいて、接合部材は、再剥離性両面粘着シートとしたことを特徴とする。
【０００９】
そして、請求項４に記載の発明は、上記請求項３に記載のカードホルダにおいて、再剥離性両面粘着シートを透明としたことを特徴とする。
【００１０】
【課題を解決するための手段】
これらの発明によれば、ホルダ本体が接合部材をかいして商品棚の前端部上面に取り付けられるから、商品棚の厚さに規制されることなく、縦の寸法が大きなカードを使えることになり、したがって文字等を大きく表示でき、顧客が情報を視認し易くなる。また、商品棚前端部の上面への取付け位置が比較的自由になり、商品棚上への商品の配置等の自由度が向上する。
【００１１】
また、支持面の上端部から下方へ延びる垂直面をかいして接合面を設けるようにすれば、商品棚上に該カードホルダが高く突出することになるから、陳列商品が商品棚から脱落することを防止することができる。その場合に、上記垂直面の高さを陳列商品の大きさ等に応じて適切に設定、選択することにより、商品の見易さを徒に犠牲にすることなく、該商品の脱落を効果的に防止することができる。
【００１２】
加えて、このカードホルダを使用しないときは、接合部材が再剥離性を有する両面が吸盤でなる部材もしくは両面粘着シートであるから、簡単に取り外すことができ、取り外した後も粘着剤等の残りも無く、棚板上面部の汚染も生じない。カードホルダ使用前と同一の商品棚そのものの状態に復元できる。すなわち、商品の表示が必要な時のみに、取付けが可能であり、その着脱も簡単で非常に容易に行うことができる。
【００１３】
そして、請求項４に記載の発明によれば、接合部材として再剥離性両面粘着シートを用いる場合に、そのシートを透明としたことにより、該シートを目立たなくすることができ、美観を損なうことが防止される。
【００１４】
なお、本発明に係るカードホルダの本体の透明樹脂材料としては、一般に、透明性、環境性（燃焼時に有毒ガスが発生しない）、経済性（リサイクルし易い）等の点で、ＰＥＴ樹脂（ポリエチレンテレフタレートを主材としたポリエステル樹脂）が最も好ましく使用可能である。その他、アクリル樹脂やポリカーボネート樹脂も好適である。しかし、これらの樹脂は、異型押出成形用材料としては、該材料として汎用される塩化ビニル等に比べて成形性に劣るという問題がある。すなわち、溶融時のメルトフローレートが大きく、成形時にドローダウンし易く、仕上がりの寸法精度が低いのである。本来であれば、製品形状に相当する形状の専用ダイを用いて一気に異型押出成形できればそれに越したことはない。しかし、透明樹脂材料として上記ＰＥＴ樹脂等を使用する限り、上記理由によりそれが困難である。そして、どうしても異型押出成形をしようとすれば、特殊なフィラや改質剤を混合する等の方策が必要となってコスト高となる。そこで、本発明では、ＰＥＴ樹脂等を使用して、本発明カードホルダの本体を、精度よく、簡単・安価に、製造することが肝要である。
【００１５】
そこで、この発明では、上記カードホルダの本体をシート成形と曲げ加工とにより製造するようにしたのである。シート成形は、一気に最終製品の特殊形状を成形する異型押出とは異なり、単純・平坦な板状物を成形するだけなので、それほど高い寸法精度が求められず、またたとえダイを出た後に溶融樹脂がドローダウンしてもローラに巻き取ることができるから板形状が型崩れすることがない。よって、溶融時のメルトフローレートが大きく、成形時にドローダウンし易く、仕上がりの寸法精度が低いといわれるＰＥＴ樹脂やアクリル樹脂あるいはポリカーボネート樹脂を問題なく使用することができる。
【００１６】
そして、上記のようにシート成形した透明樹脂シートをジグザグに曲げ加工することにより、支持面と挟持面と接合面とを有する形状のカードホルダの本体に精度よく、簡単・安価に、製造することができる。
【００１７】
本発明の接合部材としての上下両面の吸盤は、材料としてブチルゴム、シリコンゴム、ウレタン樹脂、エラストマー等が使用出来、所定の形状になる金型を用いて、射出成形、又は注型成形加工により作製し、接合方法はカードホルダ本体の接合面の幅方向両端に吸盤の片面をそれぞれ吸着接合させ、表示する商品棚の前端部上面に他方の吸盤を圧着し、接合させて使用する。
【００１８】
また、接合部材としての再剥離性両面粘着シートは、材料として特殊合成ゴム系のもので自己粘着性を有する樹脂を押出成形によりシート状に加工し、両面に離型性を付与したＰＥフィルムをラミネートし、所定の大きさで製造されたものを使用する。接合方法はカードホルダ本体の接合面に再剥離性両面粘着シートの片面にある離型フィルムを剥がし接合する。以下、発明の実施の形態を通して本発明をさらに詳しく説明する。
【００１９】
【発明の実施の形態】
図１は、本発明の実施形態に係るカードホルダであり、カ−ドホルダ本体１及びその接合部材２をかいして、商品棚Ａへの取付けの一態様を示す断面図である。このカードホルダ本体１は、例えばＰＥＴ樹脂製で、透明性、環境性、経済性に優れる。カードホルダ本体１は、値札Ｂを背後から支持する支持面１１と、該支持面１１の下端部から正面側に曲折して上方に延び、支持面との間でカードを挟む挟持面１２と、上記支持面１１の上端部から下方へ延びる垂直面１３をかいして背面側に曲折して後方へほぼ水平に延びる接合面１４を有する。これらの面１１〜１４は相互に曲折部で連続した形状を呈している。カードホルダ本体１自体は、該カードホルダ本体１の接合面１４が商品棚Ａの前端上面とを上下両面吸盤２によって接合され、商品棚Ａの前端上面に取り付けられている。また、この状態で、支持面１１及び垂直面１３の上部が商品棚Ａの上面より上方に延びている。
【００２０】
このカードホルダ本体１においては、値札Ｂの縦の寸法を商品棚Ａの厚さよりも大きくできるから、文字等が大きく表示され、顧客が情報を視認し易くなる。また、カードホルダ本体１が商品棚Ａの上面を超えて上方に存在しているから、陳列商品の棚板Ａからの脱落を防止することができる。加えて、挟持面１２は値札Ｂの下部のみ覆い、値札Ｂの上部分が挟持面１２から正面側に外部露出しているから、該露出部分にバーコード等を印刷することにより、スキャナ等による読取ミスが免れる。そして、このカードホルダを使用しないときは、速やかに取り外すことができ、棚板のみの状態に戻すことができる。すなわち、このカードホルダは、従来方式の商品棚Ａに必要に応じ設けられ商品棚Ａの前端部上面に取り付けることができているのである。
【００２１】
このカードホルダの接合部材は上下両面吸盤２で出来ている為、吸盤を押すだけで簡単に所定の位置に取付けることが出来、また取り外しも吸盤に空気を入れることで簡単に外すことが出来、外した後も何も残らず汚染されないので、直ぐに元の状態に戻すことが容易である。
【００２２】
このカードホルダ本体１は、ＰＥＴ樹脂のシート成形と、得られたシート成形物の曲げ加工とで製造され、接合部材の上下両面吸盤２は、材料として例えば、ブチルゴムが使用出来、所定の形状になる金型を用いて、射出成形加工により作製し、接合方法はカードホルダ本体１の接合面１４の幅方向両端に吸盤の片面をそれぞれ吸着接合させ、表示する商品棚Ａの前端部上面に他方の吸盤を圧着し、接合させて使用する。
【００２３】
図２は、本発明の実施形態に係るカードホルダであり、カ−ドホルダ本体１´及びその接合部材２をかいして、商品棚Ａへの取付けの一態様を示す断面図である。このカードホルダ本体１´は、上記と同一の樹脂製であり、値札Ｂを背後から支持する支持面１１と、該支持面１１の下端部から正面側に曲折して上方に延び、支持面との間でカードを挟む挟持面１２と、上記支持面１１の上端部から直接背面側に曲折して後方へほぼ水平に延びる接合面１４を有する。これらの面１１〜１４は相互に曲折部で連続した形状を呈している。カードホルダ本体１´自体は、該ホルダ本体１´の接合面１４が商品棚Ａの前端部上面とを上下両面吸盤２によって接合され、商品棚Ａの前端部上面に取り付けられている。
【００２４】
図３は、本発明の実施形態に係るカードホルダであり、カ−ドホルダ本体１及びその接合部材３をかいして、商品棚Ａへの取付けの一態様を示す断面図である。このカードホルダ本体１は、上述した樹脂、製造法で同一形状に製造されたものである。該カードホルダ本体１の接合面１４が商品棚Ａの前端部上面とを接合部材として再剥離性両面シート３によって接合され、商品棚Ａの前端部上面に取り付けられている。また、この状態で、支持面１１及び垂直面１３の上部が商品棚Ａの上面より上方に延びている。
【００２５】
このカードホルダ本体１においては、値札Ｂの縦の寸法を商品棚Ａの厚さよりも大きくできるから、文字等が大きく表示され、顧客が情報を視認し易くなる。また、カードホルダ本体１が商品棚Ａの上面を超えて上方に存在しているから、陳列商品の棚板Ａからの脱落を防止することができる。加えて、挟持面１２は値札Ｂの下部のみ覆い、値札Ｂの上部分が挟持面１２から正面側に外部露出しているから、該露出部分にバーコード等を印刷することにより、スキャナ等による読取ミスが免れる。そして、このカードホルダを使用しないときは、速やかに取り外すことができ、棚板のみの状態に戻すことができる。すなわち、このカードホルダは、従来方式の商品棚Ａに必要に応じ設けられ商品棚Ａの前端部上面に取り付けることができているのである。
【００２６】
このカードホルダの接合部材は再剥離性両面粘着シート３で出来ている為、シートを押圧するだけで簡単に所定の位置に取付けることが出来、また取り外しも再剥離性であり、簡単に外すことが出来、外した後も何も残らず汚染されないので、直ぐに元の状態に戻すことが容易である。
【００２７】
この接合部材の再剥離性両面粘着シート３は特殊合成ゴム系で自己粘着性を有する樹脂を押出成形によりシート状に加工し、両面に離型性を付与したＰＥフィルムをラミネートし、所定の大きさに製造されたものを使用する。接合方法はカードホルダ本体１の接合面の横方向両端に再剥離性両面粘着シート３の片面にある離型フィルムを剥がし接合し、表示する商品棚Ａの前端部の上面に再剥離性粘着シートの他方の離型フィルムを剥がし、圧着接合させて使用する。
【００２８】
接合部材の再剥離性両面粘着シート３は自己粘着性樹脂に代えて、透明性自己粘着性樹脂が使え、成形加工法も押出成形に限らず、射出成形、注型成形加工、等で製造される。
【００２９】
なお、上記の実施形態は、あくまで本発明の具体的態様の一例を示すものであり、特許請求の範囲の記載を逸脱しない範囲で種々の変更・修正が可能であることはいうまでもない。例えば、カードホルダの全体デザイン、各面の相対的な大きさ、面同士の曲折部の形状、樹脂の色彩、透明度等は、特に限定されることがない。
【００３０】
【発明の効果】
以上説明したように、本発明によれば、ホルダ本体が接合部材をかいして商品棚の前端部上面に取り付けられるから、商品棚の厚さに規制されることなく、縦の寸法が大きなカードを使えることになり、したがって文字等を大きく表示でき、顧客が情報を視認し易くなる。また、商品棚前端部の上面への取付け位置が比較的自由になり、商品棚上への商品の配置等の自由度が向上する。また取外した後も粘着剤等の残りも無く、棚板上面部の汚染も生じない、取付け前の状態に速やかに復元することができる。カードホルダ使用前と同一の商品棚そのものの状態に復元できる。すなわち、商品の表示が必要な時のみに、取付けが可能であり、その着脱も簡単で非常に容易に行うことができる。
【図面の簡単な説明】
【図１】本発明に係るカードホルダを商品棚の前端部上面に取り付けている態様を例示する概略側面図である。この図の接合部材は上下両面に吸盤で接合したものである。
【図２】同じく本発明に係るカードホルダを商品棚の前端部上面に取り付けている態様を例示する概略側面図であり、カードホルダ本体１´は図１より曲折を少なくし、作製をより簡単にたものである。
【図３】同じく本発明の実施の形態に係るカードホルダを、その商品棚板への取付けの態様を示す概略側面図である。この図の接合部材は再剥離性両面粘着シートを使用して接合したものである。
【図４】カード等を商品棚に取り付ける従来方式を示すもので、カードホルダを商品棚の前端部のレールに取付けた概略側面図である。
【図５】同じく従来方式を示す概略側面図であるが、カードの上に保護カバーが重ねられている。
【図６】同じく従来方式で棚板の前端部にカードホルダを差込み取付けた概略側面図である。
【符号の説明】
１　　　　　カードホルダ本体
１´　　　　カードホルダ本体
２　　　　　上下両面吸盤
３　　　　　再剥離性両面粘着シート
１１　　　　支持面
１２　　　　挟持面
１３　　　　垂直面
１４　　　　接合面
Ａ　　　　　商品棚
Ｂ　　　　　カード（値札）
【図１】
2004085712.tif 000003
【図２】
2004085712.tif 000004
【図３】
2004085712.tif 000005
【図４】
2004085712.tif 000006
【図５】
2004085712.tif 000007
【図６】
2004085712.tif 000008